【事件の表示】
　特許第２８９４９５２号「中性抄紙」の請求項１ないし３に係る特許に対する特許異議の申立てについて、次のとおり決定する。
【結　論】
　訂正を認める。
　特許第２８９４９５２号の請求項１ないし２に係る特許を維持する。
【理　由】
１．手続の経緯
　本件特許第２８９４９５２号（平成６年６月３日出願、平成１１年３月５日設定登録）の請求項１ないし３（全請求項）に係る特許について、北越製紙株式会社及び木村正の２名から特許異議の申立がなされた。
　そこで、取消理由を通知したところ、その指定期間内である平成１２年５月１日に特許異議意見書及び訂正請求書が提出された。
　次いで、訂正拒絶理由を通知したところ、その指定期間内である平成１３年１月１８日に訂正請求書についての手続補正書が提出された。
　
２．訂正の適否についての判断
　２の１．訂正の内容
　前記手続補正書による適法な補正後の訂正請求書による訂正事項は、以下のとおりである。
　ａ．訂正事項１
　明細書の特許請求の範囲に
「【請求項１】　アルカリ性塩の填料は含まず、カオリナイト、イライトまたはタルクからなる群から選択される少なくとも１種の填料、並びに、硫酸アルミニウム、アニオン性中性ロジンエマルジョン系サイズ剤及び水溶性アルカリ性塩を含む抄紙用パルプスラリーをもって抄紙する中性紙であることを特徴とする紙。
　【請求項２】　抄紙用パルプスラリーのＰＨが７.５〜８.５であることを特徴とする請求項１記載の紙。
　【請求項３】　電子写真用転写紙として使用される請求項１又は２記載の紙。」　
とあるのを、
「【請求項１】　アルカリ性塩の填料は含まず、カオリナイト、イライトまたはタルクからなる群から選択される少なくとも１種の填料、並びに、硫酸アルミニウム、アニオン性中性ロジンエマルジョン系サイズ剤及び水溶性アルカリ性塩を含む抄紙用パルプスラリーをもって抄紙する中性紙であり、抄紙用パルプスラリーのＰＨが７．５〜８．５であることを特徴とする紙。
　【請求項２】　電子写真用転写紙として使用される請求項１記載の紙。」
と訂正する。
　ｂ．訂正事項２
　段落【０００８】における「ＰＨが６．５〜８．５、場合によっては７．５〜８．５に調整されたことを特徴とする」の記載を「７．５〜８．５に調整されたことを特徴とする」と訂正する。
　２の２．訂正の目的の適否、新規事項の有無及び拡張・変更の存否
　訂正事項１による訂正は、訂正前の請求項１を削除し、以下、項数を繰り上げ、訂正前の請求項２〜３を順次新たな請求項１〜２とするものであるから、特許請求の範囲の減縮に相当し、
　訂正事項２による訂正は、訂正事項１による特許請求の範囲の減縮に伴い必要となる、明りょうでない記載の釈明に相当する。
　そして、これらの訂正は、いずれも願書に添付した明細書に記載した事項の範囲内においてされたものであり、また、実質上特許請求の範囲を拡張又は変更するものではない。
　２の３．独立特許要件の判断
　２の３の１．訂正後の発明
　訂正後における請求項１ないし２に係る発明（以下、訂正後における請求項ｎに係る発明を「訂正発明ｎ」という。、）は、訂正明細書の特許請求の範囲請求項１ないし２に記載された前記のとおりのものである。
　２の３の２．先願明細書の記載事実
　これに対して、前記取消理由通知中で引用した、特願平５−１７４９７号（出願人・三菱製紙株式会社、発明者・日比野良彦及び安島岳彦、平成５年２月４日出願、平成６年８月１９日出願公開。その内容については、前記両異議申立人が甲第１号証として提出した特開平６−２３０５９７号公報参照）の願書に最初に添付した明細書（以下、「先願明細書」という。）には、次の記載がなされている。
　ア．「 主として木材パルプよりなる電子写真用転写紙において、該電子写真用転写紙が、パルプに対して、填料としてカオリンが３〜２０重量％、内添サイズ剤としてアニオン性の中性ロジンサイズ剤を０．１〜１．２重量％並びにサイズ発現剤として水溶性アルミニウム塩を０．８〜３．０重量％含有するものであり、且つ該転写紙の冷水抽出ｐＨが７．０以上であることを特徴とする電子写真用転写紙。」（特許請求の範囲請求項１）
　イ．「主として木材パルプよりなる電子写真用転写紙の製造方法において、パルプに対して、填料としてカオリンが３〜２０重量％、内添サイズ剤としてアニオン性の中性ロジンサイズ剤を０．１〜１．２重量％並びにサイズ発現剤として水溶性アルミニウム塩を０．８〜３．０重量％含有するパルプスラリーを調整し、該パルプスラリーとアルカリ性塩との混合物を用いて抄造するか、又は該パルプスラリー或は該混合物を用いて原紙を抄造してのち該原紙上にアルカリ性塩をサイズプレスにより塗抹して該電子写真用転写紙を製造し、該転写紙の冷水抽出ｐＨを７．０以上にすることを特徴とする電子写真用転写紙の製造方法。」（特許請求の範囲請求項３）
　ウ．「本発明は、サイズ性と電子写真適性を改良した電子写真用転写紙及びその製造方法に関するものである。」（甲第１号証段落【０００１】）、
　エ．「従って、本発明の目的は、サイズ性とトナー定着性、及び重送の優れた冷水抽出ｐＨが７．０以上の電子写真用転写紙及びその製造方法を提供することにある。」（同段落【０００６】）
　オ．「本発明では、填料としてカオリンを使用するが、パルプに対して３〜２０重量％とすることが好ましい。」（同段落【０００９】）、
　カ．「また、本発明でいう中性ロジンサイズ剤とは、ｐＨ６〜９の領域で使用される各種界面活性剤もしくは水溶性高分子であり、乳化してなるエマルジョン型ロジンサイズ剤である。……中性ロジンサイズ剤のイオン性は、乳化時に用いる各種界面活性剤もしくは水溶性高分子によりアニオン性、カチオン性の選択は可能である。……また、本発明で中性ロジンサイズ剤のサイズ性の発現を向上させる目的で用いられる水溶性アルミニウム塩としては、硫酸バンド……等を使用することができる。」（同段落【００１１】〜【００１３】）、
　キ．「本発明における該転写紙の冷水抽出ｐＨを７．０以上とする製造方法は、大きく分けてパルプスラリーを抄造して得られた原紙に、アルカリ性塩を塗抹する方法、及びアルカリ性塩を原料であるパルプスラリーに内添、混合する方法がある。……本発明では、アルカリ性塩を塗抹、または内添することの双方、または一方を用いることにより該転写紙の冷水抽出ｐＨを７．０以上にすることができる。アルカリ性塩については、本発明者等が鋭意研究した結果では、水酸化ナトリウム、水酸化カリウム、炭酸ナトリウム、炭酸水素ナトリウム等のアルカリ金属の水酸化物……の使用が考えられる」
（同段落【００２１】〜【００２２】）、
　ク．「実施例１　
　１．原紙配合；
　ＬＢＫＰ（ろ水度；３５０　　ｍｌ、ｃ．ｓ．ｆ）　　７０部
　ＮＢＫＰ（ろ水度；４００ｍｌ、ｃ．ｓ．ｆ）　　　　３０部　
　インドネシアカオリン（Ｐ．Ｔ．ＡＬＴＥＲ
　ＡＢＡＤＩ社製；ＢＲＵ−３０）　　　　　　　　　　１０部
　アニオン性中性ロジンサイズ剤（荒川化学社製；
　ＫＳ−７６７）　　 　　　　　　　　　　　 　　　０．３部
　硫酸バンド　　　　　　　　　　　　　　　　　　　　　１部
　両性澱粉（王子ナショナル社製；Ｃａｔｏ３２１０）　　１部
　炭酸ナトリウム　　　　　　　　　　　　　　　　０．４５部
　歩留り向上剤（ハイモ社製；ＮＲ−１１ＬＳ）　　０．０２部
　上記配合の０．３％スラリーを抄幅１，３００ｍｍ、抄紙速度１５０ｍ／ｍｉｎ．で長網抄紙機により６４ｇ／ｍ２　の原紙の抄造を行なった。」（同段落【００２９】）、
　ケ．「実施例１１
　 実施例１で原紙配合の炭酸ナトリウムを０．５５部とし、サイズプレス液配合の炭酸ナトリウム、及び炭酸水素ナトリウムを無添加とし、水を９４．７０部とした以外は、同様にしてサンプルを調整し、実施例１１とした。」（段落【００４１】）、
　コ．実施例１１の用紙特性として、冷水抽出ｐＨが７．６であったこと（段落【００５６】中の表１中の実施例１１の行）
　２の３の３．対比・判断
　１）訂正発明１について
　訂正発明１（前者）と刊行物１記載の発明（後者）とを対比すると、前記ア〜ケからみて、
　両者は、
「アルカリ性塩の填料は含まず、カオリナイト、イライトまたはタルクからなる群から選択される少なくとも１種の填料、並びに、硫酸アルミニウム、アニオン性中性ロジンエマルジョン系サイズ剤及び水溶性アルカリ性塩を含む抄紙用パルプスラリーをもって抄紙する中性紙」
に係る点で一致するものの、
　前者が、「抄紙用パルプスラリーのＰＨが７．５〜８．５である」旨を必須の構成としているのに対して、後者については該構成が採用されていることが明らかでない点で相違する。
　以下、この相違点について検討する。
　後者では、実施例１１においてサイズプレス液配合の炭酸ナトリウム、及び炭酸水素ナトリウムを無添加として、用紙特性として冷水抽出ｐＨ７．６の結果を得ている（前記ケ参照）
　しかしながら、一般に抄紙用パルプスラリーに含まれる成分及び濃度と、冷水抽出される成分及び濃度とは異なるものと解するのが相当であるから、冷水抽出ｐＨが７．６であるからといって、直ちに抄紙用パルプスラリーのＰＨが７．５〜８．５であるということはできない。
　そして、他に、後者における抄紙用パルプスラリーのＰＨが７．５〜８．５であるとすべき根拠は存在しない。
　したがって、訂正発明１は、先願明細書記載の発明と同一であるとすることはできない。
　２）訂正発明２について
　訂正発明２は、訂正発明１をさらに技術的に限定する発明であるから、訂正発明１と同様、先願明細書記載の発明と同一であるとすることはできない。
　２の４．むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、該訂正を認める。
　
３．特許異議の申立についての判断
　３の１．申立の理由の概要
　特許異議申立人・北越製紙株式会社及び木村正は、それぞれ独立して、甲第１号証として特開平６−２３０５９７号公報（前記先願明細書）を提示して、訂正前の請求項１ないし３に係る発明は、先願明細書記載の発明と同一であるから、その特許は、特許法第２９条の２の規定に違反してされた旨の主張をしている。
　３の２．当審の判断
　本件明細書は、前記のとおり訂正請求が認められ、訂正後のものとなった。
　そして、訂正後の請求項１ないし２に係る発明は、「独立特許要件の判断」（２の３）項に示したとおり、先願明細書記載の発明と同一であるということはできない。
　
４．むすび
　以上のとおりであるから、特許異議申立の理由及び証拠によっては、本件訂正後の請求項１ないし２に係る特許を取り消すことはできない。
　また、他に訂正後の請求項１ないし２に係る特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年３月２８日（２００１．３．２８）
【訂正の要旨】
訂正の要旨
　ａ．訂正事項１
　明細書の特許請求の範囲に
　「【請求項１】　アルカリ性塩の填料は含まず、カオリナイト、イライトまたはタルクからなる群から選択される少なくとも１種の填料、並びに、硫酸アルミニウム、アニオン性中性ロジンエマルジョン系サイズ剤及び水溶性アルカリ性塩を含む抄紙用パルプスラリーをもって抄紙する中性紙であることを特徴とする紙。
　【請求項２】　抄紙用パルプスラリーのＰＨが７．５〜８．５であることを特徴とする請求項１記載の紙。
　【請求項３】　電子写真用転写紙として使用される請求項１又は２記載の紙。」
とあるのを、
「【請求項１】　アルカリ性塩の填料は含まず、カオリナイト、イライトまたはタルクからなる群から選択される少なくとも１種の填料、並びに、硫酸アルミニウム、アニオン性中性ロジンエマルジョン系サイズ剤及び水溶性アルカリ性塩を含む抄紙用パルプスラリーをもって抄紙する中性紙であり、抄紙用パルプスラリーのＰＨが７．５〜８．５であることを特徴とする紙。
　【請求項２】　電子写真用転写紙として使用される請求項１記載の紙。」と訂正する。
　ｂ．訂正事項２
　段落【０００８】における「ＰＨが６．５〜８．５、場合によっては７．５〜８．５に調整されたことを特徴とする」の記載を「７．５〜８．５に調整されたことを特徴とする」と訂正する。
（５４）【発明の名称】
中性抄紙
（５７）【特許請求の範囲】
　【請求項１】　アルカリ性塩の填料は含まず、カオリナイト、イライトまたはタルクからなる群から選択される少なくとも１種の填料、並びに、硫酸アルミニウム、アニオン性中性ロジンエマルジョン系サイズ剤及び水溶性アルカリ性塩を含む抄紙用パルプスラリーをもって抄紙する中性紙であり、抄紙用パルプスラリーのＰＨが７．５〜８．５であることを特徴とする紙。
　【請求項２】　電子写真用転写紙として使用される請求項１記載の紙。
【発明の詳細な説明】
　【０００１】
　【産業上の利用分野】
　サイズ性の良好な劣化を防止した中性抄紙に関するものである。
　【０００２】
　【従来の技術】
　紙に耐水性を与え、記録にじみを防止するために、通常、サイズ剤が使用されている。従来の酸性抄紙ではロジン系サイズ剤などで処理し、定着剤として硫酸アルミニウムで処理して、目的とするサイズ度を付与していた。しかし、硫酸アルミニウムを使用した場合、硫酸根の存在により経時で脱水反応が起こり、紙の黄色化や強度低下という、いわゆる紙の劣化の問題を起こす。紙の劣化を防止する目的でパルプスラリーを中和しようとする、ロジン系サイズ剤の効果は図１に示すようにＰＨ６以上では急速に低下するため、実用に供し得る優れた紙を製造することはできない。
　【０００３】
　一方、劣化防止には、いわゆる中性抄紙がある。中性抄紙では、サイズ剤にアルキルケテンダイマーやアルケニルコハク酸無水物等の中性サイズ剤を、歩留向上剤としてカチオン性高分子を、更に填料として炭酸カルシウムを用いる。中性抄紙技術では紙の抽出ＰＨを８．０〜９．５程度とするが、抄紙時のパルプスラリーＰＨが抽出ＰＨと同程度のアルカリ性領域であるため、ピッチやスライムの発生、更に中性サイズ剤等による抄紙機系内の汚れ等の発生が多く、操業上の問題とされていた。
　【０００４】
　これらの問題を解決するために、特開平６−７３６９２では次のような提案がされている。
　【０００５】
　填料、並びに硫酸アルミニウム、疎水化変性ロジンエマルジョン系サイズ剤及び水溶性アルカリ性塩を含む系において、抄紙時のパルプスラリーをＰＨ６．５〜７．５に調整し、ｐＫａが５〜１４の酸のアルカリ金属塩を塗工し、塗工された紙の冷水抽出ＰＨが７．５〜９．０に調整するものである。
　【０００６】
　しかし、上述の方法では、抄紙時のパルプスラリーＰＨが６．５〜７．５と低いため、中性抄紙の特徴である紙の劣化の面で、いわゆる中性抄紙よりも劣るという欠点があった。
　【０００７】
　【発明が解決しようとする課題】
　本発明者らは、紙の劣化がいわゆる中性抄紙と同等あるいは同等以上であり、なおかつピッチやスライムの発生が少なく操業性においても良好な紙及びその製造方法について鋭意検討した結果、硫酸アルミニウムとアニオン性中性ロジンエマルジョン系サイズ剤とを併用した系において抄紙時のパルプスラリーＰＨが６．５〜８．５の範囲になるように、水溶性アルカリ性塩を用いて調整することにより、良好な結果を得ることを見いだし、発明に到達した。
　【０００８】
　【課題を解決するための手段】
　本発明は、アルカリ性塩の填料は含まず、カオリナイト、イライトまたはタルクからなる群から選択される少なくとも１種の填料、並びに、硫酸アルミニウム、アニオン性中性ロジンエマルジョン系サイズ剤及び水溶性アルカリ性塩を含む、前記抄紙用パルプスラリーのＰＨが水溶性アルカリ性塩によってＰＨが７．５〜８．５に調整されたことを特徴とする紙によって達成された。
　【０００９】
　本発明では、抄紙用パルプスラリーに硫酸アルミニウムを添加することにより、ピッチやスライムの発生を防止するとともに、アニオン性中性ロジンエマルジョン系サイズ剤の使用により抄紙用パルプスラリーが中性及び弱アルカリ性の領域において、良好なサイズ度発現性と紙の黄色化や強度低下といういわゆる紙の劣化の問題を完全に解決することが可能となった。
　【００１０】
　紙の劣化については、図２に示すように、紙の抽出ＰＨとほぼ相関関係が認められ、ＰＨが６以下では劣化が著しい。劣化を防止するにはＰＨが６．５以上であることが必要であり、ほぼ完全に防止するにはＰＨが７．０以上あることが望ましい。また、前述の特開平６−７３６９２で提案されている紙は、アルカリ金属塩を塗工することによって紙の抽出ＰＨを高くしているが、いわゆる中性紙と比較して劣化が起こり易い欠点がある。この理由は抄紙時のパルプスラリーＰＨが６．５〜７．５であるため、いわゆる中性紙の抄紙用パルプスラリーＰＨと比較して低いためであると考えられる。また、先に図１で触れたように従来のロジン系サイズ剤ではＰＨ６以上で急激にサイズ度が低下し、実用に供し得ない。次に特開平６−７３６９２で提示されている疎水化変性ロジンエマルジョン系サイズ剤（使用例、荒川化学工業社製「サイズパインＮＴＳ」）を使用してもＰＨ７．５以上ではサイズ度発現性は十分ではない。本発明者らはサイズ剤について鋭意検討した結果、ＰＨ７．５以上でもサイズ度の発現性が十分であり、しかも硫酸アルミニウムと併用できるという観点で、アニオン性中性ロジンエマルジョン系サイズ剤が使用できることを見いだした。
　【００１１】
　アニオン性中性ロジンエマルジョン系サイズ剤においてもＰＨ９以上ではサイズ度が低下し、実用に供し得ない。そこで本発明では抄紙時のパルプスラリーのＰＨを６．５〜８．５好ましくは７．０〜８．５とする。
　【００１２】
　抄紙用パルプスラリーのＰＨを水溶性アルカリ性塩によりＰＨ６．５〜８．５、場合によっては７．５〜８．５に調整するため、従来中性抄紙に用いられる炭酸カルシウムのようなアルカリ性塩の填料は使用しない。
　【００１３】
　填料としては、カオリナイト、イライトまたはタルクをそれぞれ単独で、または２種以上の混合物として使用する。本発明においてはＰＨ調整を要し、カオリナイト、イライトまたはタルクを使用する。なお、填料は通常紙に１〜３０重量％添加される。
　【００１４】
　本発明でサイズ剤として使用されるアニオン性中性ロジンエマルジョン系サイズ剤は、通常の抄紙用薬品として用いられるものであり、その添加量は０．０５〜０．７％が適当である。
　【００１５】
　本発明では、ピッチ、スライムの発生を防止するという操業上の観点から硫酸アルミニウムが使用される。硫酸アルミニウムの使用量としては０．１〜５．０％であり、好ましくは０．５〜３．０％である。本発明では、硫酸アルミニウムを使用し、填料にカオリナイト、イライトまたはタルクを単独または２種以上を混合して使用するが、抄紙時のパルプスラリーはＰＨ４〜５になるため、パルプスラリーＰＨを、水溶性アルカリ性塩により６．５〜８．５、場合によっては７．５〜８．５に調整する。
　【００１６】
　水溶性アルカリ性塩としては、例えば水酸化ナトリウム及び水酸化カルシウム等の水酸化物、ケイ酸ナトリウム等のケイ酸塩、炭酸ナトリウム、炭酸カリウム、及び炭酸水素ナトリウム等の炭酸塩並びに炭酸水素塩、リン酸ナトリウム及びリン酸水素二ナトリウム等のリン酸塩並びにリン酸水素塩がある。
　【００１７】
　本発明に用いられるパルプは化学パルプ、再生パルプであり、また機械パルプを用いた場合でも劣化の少ない紙が得られる。その他の内添薬品としてはカチオン化デンプン、歩留向上剤、染料、紙力増強剤、消泡剤等を適宜添加することができる。
　【００１８】
　本発明の紙は、一般事務用紙、筆記用紙、印刷用紙、各種塗工用原紙、コンピュータ用出力用紙及び電子写真用転写紙等に使用される。
　【００１９】
　【発明の効果】
　以上詳述したように、本発明の紙は硫酸アルミニウムを使用したサイズ紙であるにもかかわらず、抄紙時のパルプスラリーのＰＨが６．５〜８．５に調整されているために、紙の劣化防止及びサイズ度の発現性に優れ、また、操業面においてもピッチやスライムの発生が少ないものである。
　【００２０】
　【実施例】
　以下、実施例を挙げて本説明をさらに詳しく説明するが、本発明はこれによって限定されるものではない。実施例中、％は対パルプ重量％を示す。なお、冷水抽出ＰＨはＪＩＳ−Ｐ８１３３に準じて測定したものである。
　【００２１】
実施例１
　ＬＢＫＰ（ｃｓｆ４００ｍｌ）９０重量部、カオリナイト１０重量部、硫酸アルミニウム２．０％、アニオン性中性ロジンエマルジョン系サイズ剤（ＣＣ−１６６Ｋ、日本ＰＭＣ社製）０．３％を加え、パルプスラリーに水酸化ナトリウム水溶液を添加して、パルプスラリーＰＨを７．５に調整した。この抄紙用パルプスラリーを用いて抄紙し、６４．０ｇ／ｍ２の上質紙を製造した。上質紙を製造する際、サイズプレスにより酸化でんぶんの水溶液を約２ｇ／ｍ２の塗布量になるように塗工した。この紙の冷水抽出ＰＨは７．６であった。また、この紙のステキヒトサイズ度、フェードメータでの処理の異変度及び耐折強度を表１に示した。
　【００２２】
　【００２３】
比較例１
　水酸化ナトリウム水溶液を添加しない以外は、実施例１と同様にして上質紙を得た。この時の抄紙用パルプスラリーＰＨは５．０であり、紙の冷水抽出ＰＨは５．５であった。この紙を実施例１と同様に評価した結果を表１に示した。
　【００２４】
比較例２
　水酸化ナトリウム水溶液を添加しない実施例１の抄紙用パルプスラリーを用いて抄紙し、サイズプレスにより炭酸ナトリウムを含有した酸化でんぶんの水溶液を約２ｇ／ｍ２の塗布量になるように塗工した。この時のパルプスラリーＰＨは５．０であり、紙の冷水抽出ＰＨは７．３であった。この紙を実施例１と同様に評価した結果を表１に示した。
　【００２５】
比較例３
　ＬＢＫＰ（ｃｓｆ４００ｍ１）８７重量部、炭酸カルシウム１３重量部、アニオン性中性ロジンエマルジョン系サイズ剤（ＣＣ−１６６Ｋ、日本ＰＭＣ社製）０．５％を加え、実施例１と同様に上質紙を製造した。この時のパルプスラリーＰＨは８．８であり、この紙の冷水抽出ＰＨは８．６であった。この紙を実施例１と同様に評価した結果を表１に示した。
　【００２６】
　【表１】
＊１　ＪＩＳ　Ｐ８１２２による。
　【００２７】
＊２　フェードメータで５０時間処理前後の黄色度の差。
　【００２８】
　黄色度はスペクトロフォトメータ（日本電色社製）で測定。
　【００２９】
＊３　ＪＩＳ　Ｐ８１１５による。
　【００３０】
＊４　抄紙機系内にピッチやスライムの発生がないものを○、発生が認められるものを×で示した。
　【００３１】
＊５　ドライヤー汚れの発生が認められないものを○、発生が認められるものを×で示した。
【図面の簡単な説明】
　【図１】
　図１は抄紙用パルプスラリーのＰＨとサイズ度との関係を示すグラフである。
　【図２】
　図２は紙の抽出ＰＨと紙の劣化との関係を示すグラフである。